(57)【要約】【課題】  カード受付装置において、停電又は故障したときでもカードを回収可能にする。【解決手段】  遊技用カード受付装置１０は、ガイド１４とベース板１２との間に差し込まれたカードを支持ピン１６で支持する。プリペイドカードＣが受付装置１０の内部に取り込まれるわけではないから、受付装置１０の電源が遮断されたり、受付装置１０が故障してもカードを手で回収できる。【選択図】  図３
2007044339.tif 000002
【特許請求の範囲】
【請求項１】
カードが直立ないし傾斜した姿勢で置かれるカード置き部と、
該カード置き部にカードが存在するか否かを検出する検出手段と、
前記カード置き部に置かれたカードのデータを読み出すリーダ及び該カードにデータを書き込むライタと、
前記カード置き部に置かれたカードの下辺を支持する支持状態と該支持を解除して該カードを前記カード置き部から落下させる排出状態とに可変の可変支持手段と、
前記カード置き部に置かれたカードが無効なカードであると前記可変支持手段を前記排出状態にさせる排出制御手段と
を備えることを特徴とする遊技用カード受付装置。
【請求項２】
請求項１記載の遊技用カード受付装置において、
前記カード置き部から落下させられたカードを受け止める受け止め部
を備えることを特徴とする遊技用カード受付装置。
【請求項３】
請求項１または２記載の遊技用カード受付装置において、
前記カード置き部に置かれたカードを吸着する吸着手段を備え、
前記排出制御手段は、前記可変支持手段を前記排出状態にさせている期間と重ならせて前記吸着手段による前記吸着を解除させる
ことを特徴とする遊技用カード受付装置。
【請求項４】
請求項１ないし３のいずれか記載の遊技用カード受付装置を備える遊技機。
【請求項５】
請求項１ないし３のいずれか記載の遊技用カード受付装置を備える遊技媒体貸出機。
【発明の詳細な説明】
【技術分野】
【０００１】
本発明は、遊技機の技術分野に属する。
【背景技術】
【０００２】
遊技店では、パチンコ球やメダルの貸出にプリペイドカードが使用されている。また、いわゆる貯球システムでは会員カードが使用される。
【特許文献１】特開９−２２５１０９号公報
【発明の開示】
【発明が解決しようとする課題】
【０００３】
従来のカード受付装置は、例えば特許文献１に開示されるように、挿入口に入れられたカードを装置内部に取り込んでデータの読み書きを行っていた。そして、カードの残高が０になったときや、遊技者が返却要求のボタン操作をしたときには、カードを挿入口から排出する構成であった。
【０００４】
従って、カード受付装置の電源が遮断されたり、カード受付装置が故障するとカードを取り出せなくなるという問題があった。また、返却要求のボタン又は配線に故障があって、返却要求の信号が伝達されないときも同様であった。
【課題を解決するための手段】
【０００５】
請求項１記載の遊技用カード受付装置は、
カードが直立ないし傾斜した姿勢で置かれるカード置き部と、
該カード置き部にカードが存在するか否かを検出する検出手段と、
前記カード置き部に置かれたカードのデータを読み出すリーダ及び該カードにデータを書き込むライタと、
前記カード置き部に置かれたカードの下辺を支持する支持状態と該支持を解除して該カードを前記カード置き部から落下させる排出状態とに可変の可変支持手段と、
前記カード置き部に置かれたカードが無効なカードであると前記可変支持手段を前記排出状態にさせる排出制御手段と
を備えることを特徴とする。
【０００６】
カード置き部にはカードが直立ないし傾斜した姿勢で置かれ、可変支持手段は、初期的には支持状態になっていて、カード置き部に置かれたカードの下辺を支持する。
検出手段によってカード置き部にカードが存在することが検出されると、そのカード置き部に置かれたカードのデータをリーダで読み出す。
【０００７】
このリーダが読み出したデータに基づけばカードが有効か無効かを判断できる。また、リーダがデータを読み込めなければ無効と判断できる。
排出制御手段は、カード置き部に置かれたカードが無効なカードであれば、可変支持手段を排出状態にさせるので、無効なカードはカード置き部から落下させられる。従って、無効なカードがカード置き部を占拠することはない。
【０００８】
また、残高が０になったプリペイドカードや失効したカードも同様にカード置き部から落下させればよい。
カードをカード置き部から落下させたままでは、例えば床に散らかる等の不都合があるので、請求項２記載のように、カード置き部から落下させられたカードを受け止める受け止め部を備えておいて、その受け止め部からカードを回収すればよい。
【０００９】
一方、カード受付装置の電源が遮断されたり、カード受付装置が故障した場合には、カード置き部に置かれたカードを手で取ればよい。
請求項３記載のように、前記カード置き部に置かれたカードを吸着する吸着手段を備えれば、カード置き部でのカードの位置を安定させることができる。例えば接触型のカードであれば、リーダによるカードのデータの読み出し及びライタによるカードへのデータの書き込みを良好に行える。
【００１０】
吸着手段による吸着は、静電吸着、減圧吸着、磁力による吸着などを採用できる。
請求項３記載の構成では、排出制御手段は、可変支持手段を排出状態にさせている期間と重ならせて吸着手段による吸着を解除させるので、無効なカードをカード置き部から落下させるうえで支障はない。なお、可変支持手段を排出状態にさせている期間と吸着手段による吸着を解除させた期間とが、一部分でも重なっていればカードをカード置き部から落下させることができるから、全期間が重なる必要はない。
【発明を実施するための最良の形態】
【００１１】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１に示すように、台間球貸機１（遊技媒体貸出機に該当）はパチンコ機２（遊技機に該当）と一対一の関係で隣接配置される。
【００１２】
台間球貸機１には、硬貨の投入口３、遊技用カード受付装置１０（以下、単に「受付装置１０」）、残高表示器６、貸出ボタン７、精算ボタン８等が備えられている。
遊技者は、投入口３から硬貨（例えば５００円硬貨、１００円硬貨）を投入して遊技球を借り受けることができる。また、プリペイドカードＣ（本実施例では非接触型ＩＣカード）を受付装置１０に保持させると残高表示器６にプリペイドカードＣの残高が表示され、貸出ボタン７を操作すれば、その残高の範囲で遊技球を借り受けることができる。いずれの場合も、台間球貸機１から貸し出される遊技球は、貸球樋４によりパチンコ機２の上皿５に誘導される。
【００１３】
図２に示すように、受付装置１０はベース板１２にて台間球貸機１に固定されている。
ベース板１２の左右下隅部にはガイド１４が設けられている。
ガイド１４は、図２（ａ）に示すようにＬ字状で、ガイド１４とベース板１２の前面との間隔はプリペイドカードＣの厚さよりも大きく、また左右のガイド１４のベース板１２との連接部間の距離はプリペイドカードＣの横幅よりも大きい。従って、プリペイドカードＣは、ガイド１４とベース板１２の前面との隙間を通過できる。
【００１４】
また、ガイド１４の背後になる位置には、ベース板１２から突出した支持状態とベース板１２側に引き込まれた排出状態とに可変の支持ピン１６（可変支持手段に該当）が左右一対で配されている。このため、支持ピン１６を支持状態にして、プリペイドカードＣをガイド１４とベース板１２の前面との間に縦置きすれば、支持ピン１６がプリペイドカードＣの下辺を支持するのでプリペイドカードＣは落下しない。つまり、ベース板１２の前面とガイド１４とでカード置き部が構成される。
【００１５】
ガイド１４同士の中間部には、上述のように縦置きされたプリペイドカードＣを検出するためのセンサ１８が配されている。本実施例では、センサ１８としては、光又は超音波を放射して、その反射光（反射波）を受信することでプリペイドカードＣの存否を検出するアクティブセンサが用いられているが、例えばプリペイドカードＣによって圧迫されてオン又はオフになるマイクロスイッチを用いることもできる。
【００１６】
ガイド１４の上方においては、上下方向に延びる凸条２０がベース板１２の前面に設けられている。この凸条２０はプリペイドカードＣがベース板１２の前面に密接するのを防ぐために設けられており、ベース板１２からの突出高さはわずかなものである。
【００１７】
また、ベース板１２には、凸条２０に沿うようにして、帯電板２２（吸着手段に該当）が埋設されている。
そして、ベース板１２の下方には、２本の金属線２３ａ、２３ｂで構成される受け止め部２３が配されている。
【００１８】
ベース板１２の背後には、ケース２４が取り付けられており、このケース２４の内部には、図３に示すセンサ１８用の検出回路３１、プリペイドカードＣのデータを読み書きするための通信回路３２、支持ピン１６を駆動するためのソレノイド３３、ソレノイド３３用の駆動回路３４、帯電板２２用の駆動回路３５等が収容されている。
【００１９】
そして、これら検出回路３１、通信回路３２、駆動回路３４、駆動回路３５は台間球貸機１の制御基板３６に接続されている。
制御基板３６はマイクロコンピュータを搭載しており、検出回路３１からセンサ１８の検出信号を入力でき、通信回路３２を介してプリペイドカードＣのデータを読み書きでき（リーダ及びライタに該当）、駆動回路３４を介してソレノイド３３への通電を制御することで支持ピン１６を支持状態と排出状態とに切り替えでき、駆動回路３５を介して帯電板２２の帯電状態を制御できる。
【００２０】
制御基板３６には残高表示器６が接続されており、制御基板３６は残高表示器６の表示を制御できる。また、制御基板３６には貸出ボタン７及び精算ボタン８も接続されており、貸出ボタン７及び精算ボタン８がオン操作されたときの操作信号が制御基板３６に入力される。
【００２１】
制御基板３６は図４に示すカード処理を数ミリ秒のサイクルで繰り返す。すなわち、カード受付済みでなければ（Ｓ１：ＮＯ）受付処理（Ｓ２）を行い、カード受付済みなら（Ｓ１：ＹＥＳ）貸出処理（Ｓ３）を行って、その他の処理（Ｓ４）を行う。これを台間球貸機１の稼働中は繰り返す。
【００２２】
受付処理（Ｓ２）の詳細は図５に示すとおりで、まず検出回路３１から入力されるセンサ１８の検出信号に基づいて、プリペイドカードＣがカード置き部に置かれたか否かを判断する（Ｓ２１）。
【００２３】
プリペイドカードＣが検出されたときは（Ｓ２１：ＹＥＳ）、通信回路３２を介してプリペイドカードＣのデータを読み込んで、このカードが正規のカードか否かを判断する（Ｓ２２）。
【００２４】
正規のカードであれば（Ｓ２２：ＹＥＳ）残高があるか否かを判断する（Ｓ２３）。
残高があれば（Ｓ２３：ＹＥＳ）、帯電板２２を帯電させて、その静電吸引力によりプリペイドカードＣをベース板１２に吸着し、カード受付済みを示すフラグをセットし、残高を残高表示器６に表示させる（Ｓ２４）。なお、凸条２０が在るので、吸着されたプリペイドカードＣがベース板１２に密接することはない。
【００２５】
正規のカードでないとき（Ｓ２２：ＮＯ）又は残高が０のときは（Ｓ２３：ＮＯ）、ソレノイド３３に通電して支持ピン１６を排出状態にさせて（排出制御手段）、カードをカード置き部から落下させる。落下したカードは受け止め部２３の受け止められる。なお、カードのデータを読み取れないときも正規のカードでない（Ｓ２２：ＮＯ）と判断する。また、ソレノイド３３への通電は適宜時間（例えば１秒程度）で終了し、支持ピン１６は支持状態にもどる。
【００２６】
貸出処理（Ｓ３）の詳細は図６に示すとおりである。
この処理では、貸出ボタン７のオン操作信号が入力されれば（Ｓ３１：ＹＥＳ）、プリペイドカードＣの残高を１貸出単位分（例えば１００円分）減額して書き替え、その減額後の残高を残高表示器６に表示させる（Ｓ３２）。
【００２７】
そして、図示しない貸球排出部を稼動させて１貸出単位分（例えば２５個）の遊技球を排出させる。この遊技球は、前述したように貸球樋４から上皿５に放出される。
Ｓ３２で減額後もプリペイドカードＣの残高があれば（Ｓ３４：有）リターンするが、残高が０になったときは（Ｓ３４：無）Ｓ３６に進む。また、貸出ボタン７のオン操作信号ではなく（Ｓ３１：ＮＯ）、精算ボタンのオン操作信号が入力されたときも（Ｓ３５：ＹＥＳ）Ｓ３６に進む。
【００２８】
Ｓ３６では、帯電板２２の帯電を解消してプリペイドカードＣの吸着を解除する。このとき、例えば０．１秒程度の短時間だけ、帯電板２２をそれまでとは逆の極性に（例えば負の帯電状態から正の帯電状態に）帯電させると、静電吸着されていたほこり等をはねとばすことができる。
【００２９】
そして、図示しないＬＥＤを点灯させるとか、図示しないブザを鳴動させる等の取り出し警告（Ｓ３７）にて、遊技者にカードの回収を促す。
この取り出し警告（Ｓ３７）を適宜の時間（例えば１０秒程度）行って、警告終了の時間になれば（Ｓ３８：ＹＥＳ）、ソレノイド３３に通電して支持ピン１６を排出状態にさせる（Ｓ３９）。従って、遊技者がプリペイドカードＣを回収していなければ、そのカードはカード置き部から受け止め部２３に落下する。なお、ソレノイド３３への通電は適宜時間（例えば１秒程度）で終了し、支持ピン１６は支持状態にもどる。このときに、帯電板２２を上記と同様に吸着時とは逆の極性に帯電させて、静電吸着されていたほこり等をはねとばすこともできる。
【００３０】
以上説明した通り、この遊技用カード受付装置１０は、センサ１８によってカード置き部にカードが存在することが検出されると、カードのデータを読み出して、正規のプリペイドカードＣであるか、残高は０でないか、すなわち有効か無効かを判断し、これが無効なカードであれば、支持ピン１６を排出状態にさせてカード置き部から落下させる。従って、無効なカードがカード置き部を占拠することはない。
【００３１】
また、使用されてプリペイドカードＣの残高が０になったときは、取り出し警告を行って遊技者に回収を促した後に支持ピン１６を排出状態にさせるから、残高０のプリペイドカードＣがカード置き部を占拠し続けることもない。
【００３２】
カード置き部から落下させられたカードは受け止め部２３に受け止められるから、その受け止め部２３からカードを回収すればよく、カードが床に落ちて散らかることはない。
しかも、プリペイドカードＣが受付装置１０（台間球貸機１）の内部に取り込まれるわけではないから、受付装置１０（台間球貸機１）の電源が遮断されたり、受付装置１０が故障しても、カード置き部に置かれたカードを手で回収できる。
【００３３】
正規かつ残高が有るプリペイドカードＣがカード置き部に置かれたときは、帯電板２２によって静電吸着するので、カード置き部でのプリペイドカードＣの位置が安定し、データの読み出し及びデータの書き込みを良好に行える。
【００３４】
また、帯電板２２の帯電を解消してプリペイドカードＣの吸着を解除したときに、又は指示ピン１６を排出状態にした後に短時間だけ帯電板２２をそれまでとは逆の極性に帯電させることで、静電吸着されていたほこり等をはねとばすことができる。
［変形例］
実施例は、遊技用カード受付装置を台間球貸機に備えた例であるが、図７に示すように、周知のＣＲユニット１ａに遊技用カード受付装置を備えることもできる。この場合、パチンコ機２は球貸機としての機能を備え、残高表示器６、貸出ボタン７及び精算ボタン８もパチンコ機２に装備されている。
【００３５】
また、図８に示すように、遊技用カード受付装置をパチンコ機２に装備することもできる。
更に、図示は省略するが、遊技用カード受付装置をメダル用の台間貸出機に備えることもできる。また、図７と同様に、遊技用カード受付装置をスロットマシン用のＣＲユニットに備えたり、図８と同様に、ロットマシンに備えることも可能である。
【図面の簡単な説明】
【００３６】
【図１】実施例の台間球貸機とパチンコ機の正面図。
【図２】実施例のカード受付装置の平面図（ａ）、正面図（ｂ）、側面図（ｃ）。
【図３】実施例のカード受付装置のブロック図。
【図４】実施例のカード受付装置の制御基板が実行するカード処理のフローチャート。
【図５】実施例のカード受付装置の制御基板が実行する受付処理のフローチャート。
【図６】実施例のカード受付装置の制御基板が実行する貸出処理のフローチャート。
【図７】変形例の説明図（１）。
【図８】変形例の説明図（２）。
【符号の説明】
【００３７】
１・・・台間球貸機（遊技媒体貸出機）、
１ａ・・・ＣＲユニット（遊技媒体貸出機）、
２・・・パチンコ機（遊技機）、
１０・・・遊技用カード受付装置、
１２・・・ベース板（カード置き部）、
１４・・・ガイド（カード置き部）、
１６・・・支持ピン（カード置き部、可変支持手段）、
１８・・・センサ（検出手段）、
２０・・・凸条、
２２・・・帯電板（吸着手段）、
２３・・・受け止め部、
３１・・・検出回路、
３２・・・通信回路（リーダ、ライタ）、
３３・・・ソレノイド、
３４・・・駆動回路、
３５・・・駆動回路、
３６・・・制御基板（リーダ、ライタ、排出制御手段）
Ｃ・・・プリペイドカード。
【図１】
2007044339.tif 000003
【図２】
2007044339.tif 000004
【図３】
2007044339.tif 000005
【図４】
2007044339.tif 000006
【図５】
2007044339.tif 000007
【図６】
2007044339.tif 000008
【図７】
2007044339.tif 000009
【図８】
2007044339.tif 000010